(57)【要約】【課題】自動販売機のキャビネットに搭載した冷凍機コンデンシングユニットの凝縮器の保護カバーについて、安価に製作でき、かつドライバー等の工具を使わずにワンタッチで簡単に着脱が行えるようにする。【解決手段】キャビネット１の底部側に画成した機械室に、フィンチューブ形凝縮器８ｂを含む風冷式の冷凍機コンデンシングユニットを搭載し、かつ機械室の開放面に臨む凝縮器の前面に保護カバー１０を配備した自動販売機において、保護カバーを格子状に組んだワイヤフレーム１０ａで構成し、該保護カバーを凝縮器の前面側に設けた留め具に引っ掛けて着脱自在に取付けるようにし、具体的にはワイヤフレームの横ワイヤに逆Ｕ字形のフック部１０ｂを形成するとともに、凝縮器の前面側には留め具として段付きボルト１１を植設し、この段付きボルトに前記フック部を引っ掛けて保護カバーを定位置に係止固定する。【選択図】　　　図１
2004021806.tif 000002
【特許請求の範囲】
【請求項１】
庫内に商品収納ラックおよび冷却ユニットを装備した前面扉付きキャビネットの底部側に前後面を開放した機械室を画成し、ここに風冷式の冷凍機コンデンシングユニットを搭載した自動販売機であって、前記コンデンシングユニットが機械室の前面に臨ませて配置した風冷式のフィンチューブ形凝縮器，圧縮機，冷却ファンの組立体からなり、かつ凝縮器の前面に保護カバーを配備したものにおいて、
前記保護カバーを、ワイヤを格子状に組んだワイヤフレームで構成し、かつ該保護カバーを凝縮器の前面側に設けた留め具に引っ掛けて着脱自在に取付けたことを特徴とする自動販売機。
【請求項２】
請求項１記載の自動販売機において、保護カバーを構成するワイヤフレームの横ワイヤに逆Ｕ字形のフック部を形成するとともに、凝縮器の前面側には留め具として段付きボルトを植設し、この段付きボルトに前記フック部を引っ掛けて保護カバーを定位置に支持したことを特徴とする自動販売機。
【発明の詳細な説明】
【０００１】
【発明の属する技術分野】
本発明は、コールド商品を販売する自動販売機に関し、詳しくは自動販売機のキャビネットに搭載した冷凍機コンデンシングユニットの凝縮器に対する保護カバー，およびその取付構造に係わる。
【０００２】
【従来の技術】
まず、本発明の実施対象となる自動販売機の構成を図３，図４に示す。図において、１は自動販売機の本体キャビネット、２は外扉、３は商品取出口、４は断熱内扉、５はキャビネット１の庫内に搭載したサーペンタイン式商品収納ラック、６は商品収納ラック４から払出した商品を商品取出口３に導く商品搬出シュータ、７はシュータ６の背後に配置した庫内保冷用の冷却ユニット、８はキャビネット１の底部側に前後面を開放して風胴を形成するように画成した機械室に搭載した冷凍機のコンデンシングユニットである。
【０００３】
上記の構成で、冷凍機を運転することにより庫内の商品収納ラック５に収納した商品９が保冷されることは周知の通りである。
ここで、前記した冷凍機コンデンシングユニット８は、圧縮機８ａと、機械室の前面に臨ませて配置した風冷式のフィンチューブ形凝縮器８ｂと、冷却ファン８ｃとの組立体からなり、冷凍機の運転時には外扉２の下縁部に開口した導風穴を通じて吸い込んだ冷却空気を機械室内に通風して圧縮機８ａ，凝縮器８ｂを冷却するようにしている。
【０００４】
また、凝縮器８ｂの前面には保護カバー１０を配置し、外扉２を開いて庫内のメンテナンス作業を行う際に、保守員の足先が凝縮器８ｂに当たってフィン（アルミ箔製）が変形するのを防護するようにしており、従来の自動販売機では、この保護カバーにエキスパンドメタル（鋼板に千鳥状の切れ目を機械加工し、同時にこれを押し広げて菱形の網目を形成したもの）を採用し、このエキスパンドメタルに周枠を組付けた上で、凝縮器８ｂの端板，もしくはキャビネット１の機械室前面にビス止めして取付けるようにしている。
【０００５】
【発明が解決しようとする課題】
ところで、前記した冷凍機コンデンシングユニットの凝縮器の保護カバーとして、エキスパンドメタルで作成した従来の保護カバーは、コスト，取扱い面で次に記すような問題点がある。すなわち、
（１）　エキスパンドメタルは加工が複雑で製作コストが高く、自動販売機の製品価格にも少なからず影響を及ぼす。
【０００６】
（２）　自動販売機のロケーション先で、冷凍機コンデンシングユニット８の凝縮器８ｂを清掃（フィンに目詰ました塵埃を取り除く）する場合には、清掃作業に先立って凝縮器の前面を覆っている保護カバー１０を取り外す必要があるが、従来の取付構造では保護カバーをビス止めしているために、その着脱作業に手間がかかる。
【０００７】
そこで、本発明の目的は、自動販売機のキャビネットに搭載した冷凍機コンデンシングユニットの凝縮器の保護カバーについて、安価に製作でき、かつドライバーなどの工具を使わずにワンタッチ操作で簡単に着脱できるように改良した保護カバーおよびその取付構造を提供することにある。
【０００８】
【課題を解決するための手段】
上記目的を達成するために、本発明によれば、庫内に商品収納ラック，および冷却ユニットを装備した前面扉付きキャビネットの底部側に前面を開放した機械室を画成し、ここに風冷式の冷凍機コンデンシングユニットを搭載した自動販売機であって、前記コンデンシングユニットが機械室の前面に臨ませて配置した風冷式のフィンチューブ形凝縮器，圧縮機，冷却ファンの組立体からなり、かつ凝縮器の前面に保護カバーを配備したものにおいて、
前記保護カバーを、ワイヤを格子状に組んだワイヤフレームで構成し、かつ該保護カバーを凝縮器の前面側に設けた留め具に引っ掛けて着脱自在に取付ける（請求項１）ものとし、その具体的な態様として、保護カバーを構成するワイヤフレームの横ワイヤに逆Ｕ字形のフック部を形成するとともに、凝縮器の前面側には留め具として段付きボルトを植設し、この段付きボルトに前記フック部を引っ掛けて保護カバーを定位置に固定する（請求項２）
上記のように線材の溶接構造にるワイヤフレームで構成した保護カバーは、従来のエキスパンドメタルと比べて製作費が安価であり、またワイヤフレームに形成したフック部を段付きねじに引っ掛けて取付けるようにしたことで、キャビネットへの着脱をドライバー等の工具を使わずにワンタッチ操作で簡単に行えてメンテナンス作業性の改善が図れる。
【０００９】
【発明の実施の形態】
以下、本発明の実施の形態を図１，図２に示す実施例に基づいて説明する。なお、実施例の図中で図３，図４に対応する部材には同じ符号を付してその説明は省略する。
すなわち、図示実施例においては、キャビネット１の機械室前面に臨む冷凍機コンデンシングユニットの凝縮器８ｂの前面を覆う保護カバー１０が、鋼製ワイヤなどの線材を格子状に組んで溶接接合したワイヤフレーム１０ａで構成され、かつワイヤフレームの上下，左右の四隅部分で横ワイヤには逆Ｕ字形のフック部１０ｂが曲げ加工されている。
【００１０】
一方、前記したワイヤフレーム構造になる保護カバー１０を定位置に取付けるために、機械室の前面向けて凝縮器８ｂの端板（あるいは機械室の壁）には前記フック部１０ｂと対応する４箇所に保護カバーの留め具としての段付きねじ１１を植設しておく。
そして、自動販売機の機械室前面に保護カバー１０を取付ける際には、図１のように前方からワイヤフレーム１０ａのフック部１０ｂを前記の段付きねじ１１に引っ掛けて定位置に係止固定する。図２は保護カバー１０を取付けた状態を示している。また、自動販売機のロケーション先で凝縮器８ｂを清掃するために保護カバー１０を取り外す場合には、段付きねじ１１とフック部１０ｂとの係合を外すことで簡単に抜き取ることができる。
【００１１】
【発明の効果】
以上述べたように、本発明によれば、自動販売機に搭載した冷凍機コンデンシングユニットの凝縮器前面を覆う保護カバーを、ワイヤを格子状に組んだワイヤフレームで構成した上で、凝縮器の前面側に設けた留め具に引っ掛けて着脱自在に取付けるようにし、またその保護カバーの取付構造として、ワイヤフレームの横ワイヤに逆Ｕ字形のフック部を形成するとともに、凝縮器の前面側には留め具として段付きボルトを植設し、この段付きボルトに前記フック部を引っ掛けて保護カバーを定位置に固定するよう構成したことにより、
エキスパンドメタルを採用した従来の保護カバーと比べて製作費のコストダウンが図れるほか、ドライバー等の工具を使わずにワンタッチ操作で保護カバーを簡単に着脱できてメンテナンスの作業性改善が図れる。
【図面の簡単な説明】
【図１】本発明の実施例による凝縮器の保護カバー，およびその取付構造を示す自動販売機の機械室周辺の正面斜視図
【図２】図１の保護カバーを凝縮器に装着した状態を表す図
【図３】扉開放状態を表した自動販売機の外観図
【図４】図３の自動販売機の内部構造を表す断面略示図
【符号の説明】
１　　自動販売機のキャビネット
２　　前面外扉
５　　商品収納ラック
７　　冷却ユニット
８　　冷凍機のコンデンシングユニット
８ａ　圧縮機
８ｂ　凝縮器
８ｃ　冷却ファン
９　　商品
１０　　保護カバー
１０ａ　ワイヤフレーム
１０ｂ　フック部
１１　　段付きねじ
【図１】
2004021806.tif 000003
【図２】
2004021806.tif 000004
【図３】
2004021806.tif 000005
【図４】
2004021806.tif 000006